【手続補正書】
【提出日】平成27年9月29日(2015.9.29)
【手続補正１】
【補正対象書類名】特許請求の範囲
【補正対象項目名】全文
【補正方法】変更
【補正の内容】
【特許請求の範囲】
【請求項１】
複数の卵を収容する容器本体と、この容器本体に連続するヒンジ部分と、このヒンジ部分に連続する側面及びこの側面に連続する上面が透明であり、ヒンジ部分を軸として開閉可能な上蓋と、この上蓋を前記容器本体の上方に配置した状態で、その内部に形成された空間と、この空間内の前記側面に沿って置かれるラベルを支持する支持部とを備えた、卵収容容器。
【請求項２】
請求項１に記載の卵収容容器において、複数の卵を収容した前記容器本体及びこの容器本体の上方に配置される前記上蓋とから構成された空間に、第１の平面および第２の平面が形成されたラベルを封入する方法であって、
前記上蓋が開いた状態で、前記上面と前記第１の平面とが対向し、かつ、前記ヒンジ部分側の側面と前記第２の平面とが対向するように、当該上蓋の中に前記ラベルを配置するステップと、
前記ヒンジ部分を軸に前記上蓋を閉じて、前記第１の平面を前記上蓋の上面と前記卵の上端との間に位置させるとともに、前記第２の平面を前記上蓋のヒンジ部分側の側面と前記卵の側部との間に位置させるステップとを備えている、ラベルの封入方法。
【手続補正２】
【補正対象書類名】明細書
【補正対象項目名】０００８
【補正方法】変更
【補正の内容】
【０００８】
本発明に係る卵収容容器は、複数の卵を収容する容器本体と、この容器本体に連続するヒンジ部分と、このヒンジ部分に連続する側面及びこの側面に連続する上面が透明であり、ヒンジ部分を軸として開閉可能な上蓋と、この上蓋を前記容器本体の上方に配置した状態で、その内部に形成された空間と、この空間内の前記側面に沿って置かれるラベルを支持する支持部とを備えたものである。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】変更
【補正の内容】
【００２０】
本発明に係るラベルの封入方法は、請求項１に記載の卵収容容器において、複数の卵を収容した前記容器本体及びこの容器本体の上方に配置される前記上蓋とから構成された空間に、第１の平面および第２の平面が形成されたラベルを封入する方法であって、前記上蓋が開いた状態で、前記上面と前記第１の平面とが対向し、かつ、前記ヒンジ部分側の側面と前記第２の平面とが対向するように、当該上蓋の中に前記ラベルを配置するステップと、前記ヒンジ部分を軸に前記上蓋を閉じて、前記第１の平面を前記上蓋の上面と前記卵の上端との間に位置させるとともに、前記第２の平面を前記上蓋のヒンジ部分側の側面と前記卵の側部との間に位置させるステップとを備える。
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】削除
【補正の内容】
【手続補正２２】
【補正対象書類名】明細書
【補正対象項目名】００６６
【補正方法】変更
【補正の内容】
【００６６】
また、上記の第１および第２の実施の形態に係るラベル封入方法において、図７に示すように、卵収容容器が開いた状態で、上蓋の中にラベルを配置し、ヒンジ部分を軸に卵収容容器を閉じることにより、ラベルを卵収容容器に封入してもよい。これにより、ラベル５は、第１および第２の平面５１，５２を、それぞれ、容器本体２に収容された卵Ｅの上端および側部に対応する位置におかれる。
以上説明したように、上述した第１、第２の実施形態に係る卵収容容器は、複数の卵を、その長軸を上下方向に沿わせ、卵の上端を突出させた状態で収容している容器本体と、下方に開放し、上面と側周面とからなる箱状に透視可能に形成され、前記側周面の下端を前記容器本体の外周に重ねて前記容器本体の上方に配置されている上蓋と、前記容器本体と前記上蓋とから構成された空間に置かれるラベルとを含む。前記ラベルは、第１の平面および第２の平面を形成するように少なくとも２つに折り曲げられており、前記ラベルの第１の平面は、前記上蓋の上面と前記卵の上端との間に位置しており、前記ラベルの第２の平面は、前記上蓋の側周面と前記卵の側部との間に位置している。
上述した実施形態に係る卵収容容器では、封入される前記ラベルが少なくとも２つに折り曲げられており、前記ラベルの前記第１の平面が前記上蓋の上面と卵の上端との間に置かれ、前記第２の平面が前記上蓋の側周面と卵の側部との間に置かれる。したがって、前記卵収容容器によれば、ラベルの第１の平面と第２の平面の位置が確定するため、ラベルを安定して卵収容容器内に配置することができる。さらに、透明な前記上蓋を介して、前記上蓋の上面および側周面の２つの面から前記ラベルの内容を確認できる。
前記容器本体は四角形の外周を有していてもよく、前記上蓋の前記側周面の下端は、前記容器本体の外周に対応し、前記容器本体の外周に重なる四角形に形成されていてもよく、前記容器本体と前記上蓋とは、開閉可能となるように、それらの四角形の一辺において結合されており、前記ラベルの第２の平面は、前記容器本体と前記上蓋との前記四角形の前記結合された一辺の側に置かれていてもよい。
この卵収容容器では、外周が四角形に形成されており、前記上蓋と前記容器本体との結合された一辺、すなわちヒンジ部分の側に２つに折られたラベルが配置されている。したがって、ヒンジ部分を軸として枢軸的に前記上蓋を閉めると、まず、前記ラベルの前記第２の平面が前記上蓋の側周面と卵の側部に挟まれ、次いで、第１の平面が前記上蓋の上面と卵の上端とに挟まれ、次いで、前記容器本体と前記上蓋とがヒンジ部分と反対の側にて重ねられる。これにより、卵収容容器が封緘される。したがって、ヒンジ部分の側からラベルが挟まれるように封緘作業が行われることになり、ラベルの位置を安定させて封緘作業を行うことができる。
第２の実施形態で示したように、前記ラベルは、さらに、第３の平面を形成するように、側方から見て略コ字折り曲げられていてもよく、前記第３の平面は、前記上蓋の前記結合された一辺と反対の側の周面と前記卵の側部との間に位置していてもよい。
この卵収容容器では、封入される前記ラベルがコ字状に３つに折り曲げられており、前記ラベルの前記第１の平面が前記上蓋の上面と卵の上端との間に置かれ、前記第２の平面が前記上蓋の四角形の前記一辺の側の側周面と卵の側部との間に置かれ、前記第３の平面が前記上蓋の四角形の前記一辺と反対側の側周面と卵の側部との間におかれる。したがって、前記卵収容容器によれば、ラベルの第１ないし第３の平面の位置が確定するため、ラベルを安定して卵収容容器内に配置することができる。さらに、透明な前記上蓋を介して、前記上蓋の上面および２つの側周面の３つの面から前記ラベルの内容を確認できる。
前記第１の平面は卵の上端に当接し、前記第２の平面は卵の側部に当接していてもよい。
この卵収容容器では、２つに折り曲げられたラベルの異なる面が、それぞれ、卵に当接する。したがって、異なる面が、それぞれ支持されるためラベルが安定して配置される。
前記容器本体は、複数の鶏卵を前記結合された一辺に沿って２列に並べられた状態で収容し、前記第１の平面は両列の卵に当接していてもよい。
この卵収容容器では、前記ラベルの前記第１の平面が２列に並べられた卵の上端に当接するため、第１の平面の位置が安定し、ラベルが安定して配置される。
前記ラベルは透過性を有していてもよい。
この卵収容容器によれば、ラベルが透過性を有しているため、卵収容容器のいずれの方向からでも容器に収容された卵を視認できる。
上述したラベルの封入方法は、複数の卵を、その長軸を上下方向に沿わせ、卵の上端を突出させた状態で収容できる容器本体と、下方に開放し、上面と側周面とからなる箱状に透視可能な材料により形成され、前記側周面の下端を前記容器本体の外周に重ねて前記容器本体の上方に配置できる上蓋とを含む卵収容容器において、前記容器本体に複数の卵を収容する第１のステップと、前記容器本体と前記上蓋とから構成された空間に置かれるラベルを少なくとも２つに折り曲げ、第１の平面および第２の平面を形成する第２のステップと、前記折り曲げられたラベルの第１および第２の平面を、それぞれ、前記容器本体に収容された前記卵の上端および側部に対応する位置におく第３のステップと、前記上蓋の前記側周面の下端を前記容器本体の外周に重ねて、前記上蓋を前記容器本体の上方に配置する第４のステップと、前記上蓋と前記容器本体を封止する第５のステップとを含む。
上述したラベル封入方法では、封入される前記ラベルが少なくとも２つに折り曲げられており、前記ラベルの前記第１の平面が前記上蓋の上面と卵の上端との間に置かれ、前記第２の平面が前記上蓋の側周面と卵の側部との間に置かれる。これにより、前記卵収容容器によれば、ラベルの第１の平面と第２の平面の位置が確定するため、ラベルが安定して配置され、かつ、透明な前記上蓋を介して、前記上蓋の上面および側周面からラベルの内容を確認できる卵収容容器を提供できる。
前記第３のステップは、少なくとも前記第１の平面を前記卵の上端に当接させることを含み、前記第４のステップは、前記折り曲げられたラベルの第１の平面および第２の平面を、それぞれ、前記容器本体に収容された前記卵の上端および側部に対応する位置に配置すること、前記ラベルが前記卵に当接した状態で、前記上蓋を前記容器本体の上方に配置することを含んでいてもよい。
このラベル封入方法では、卵の上端にラベルが当接した状態で上蓋が容器本体の上方に配置されるため、ラベルの配置が安定した状態で卵収容容器の封緘ができる。
前記容器本体は四角形の外周を有し、前記上蓋の前記側周面の下端は、前記容器本体の外周に対応し、前記容器本体の外周に重なる四角形に形成されており、前記容器本体と前記上蓋とは、開閉できるように、それらの四角形の一辺において結合されており、前記第３のステップは、前記蓋体が開いた状態で、前記上蓋にラベルの前記第２の面を前記一辺の側に配置することを含み、前記第４のステップは、前記結合部を軸に前記蓋体を閉じることを含んでいてもよい。
このラベル封入方法では、前記上蓋の前記収容容器の結合された部分、すなわちヒンジ部分の側にラベルの第２の平面が位置するように、ラベルが配置されている。したがって、ヒンジ部分に対して枢軸的に前記上蓋を閉めると、まず、前記ラベルの前記第２の平面が前記上蓋の側周面と卵の側部に挟まれ、次いで、第１の平面が前記上蓋の上面と卵の上端とに挟まれ、次いで、ヒンジ部分と反対側の部分が封止されることで、卵収容容器が封緘される。これにより、ラベルがヒンジ部分の側から挟まれるようにラベルの封入が行われるため、ラベルの位置を安定させて卵収容容器に封入することができる。
第２の実施形態で示したように、前記第２のステップは、ラベルを、側方から見てコ字状になるように、３つに折り曲げ、第３の平面を形成することを含み、前記第３のステップは、前記第３の平面を前記一辺と反対の側に配置することを含んでいてもよい。
このラベル封入方法では、封入される前記ラベルがコ字状に３つに折り曲げられており、前記ラベルの前記第１の平面が前記上蓋の上面と卵の上端との間に置かれ、前記第２の平面が前記上蓋の四角形の前記一辺の側の側周面と卵の側部との間に置かれ、前記第３の平面が前記上蓋の四角形の前記一辺と反対側の側周面と卵の側部との間におかれる。したがって、前記卵収容容器によれば、ラベルの第１ないし第３の平面の位置が確定するため、ラベルを安定して卵収容容器内に配置することができる。さらに、透明な前記上蓋を介して、前記上蓋の上面および２つの側周面の３つの面から前記ラベルの内容を確認できる。